(57)【特許請求の範囲】
【請求項１】
熱可塑性樹脂のモノフィラメントが捲回したコイル状線体であって、このコイル状線体が構成するループは互いに間隙を有して並列すると共に、各ループに並列方向両側へ膨出した係止突部が形成されていることを特徴とする植物用の結束具。
【請求項２】
係止突部が各ループの並列方向の一直線上に形成されていることを特徴とする請求項１記載の植物用の結束具。
【請求項３】
ループ内の対向する部位に、並列方向両側へ膨出した係止突部が形成されていることを特徴とする請求項１又は２記載の植物用の結束具。
【請求項４】
ループが楕円形状又は多角形形状であることを特徴とする請求項１乃至３のいずれかに記載の植物用の結束具。
【請求項５】
生分解性樹脂のモノフィラメントであることを特徴とする請求項１乃至４のいずれかに記載の植物用の結束具。
【発明の詳細な説明】
【技術分野】
【０００１】
本発明は植物の枝や茎或いは蔓と支えるための支持材との結束具、又は植物同士を互いに支承するための結束具に関するものである。
【背景技術】
【０００２】
例えば農園芸における植物の茎や蔓と支えるための支持材とを結束するための従来からの代表的な具としては、適宜の紐を用いて両者を繋いで紐端部を結んで結束している。
【０００３】
結束をより簡便に出来るように、特開２００５‐３４１９２０号公報では、支柱に挟着させて取り付けることの出来る断面形状C形挟着片を有する支持具本体と、この支持具本体の一側面に、柔軟性を有するバンドと、一側面に対向する側面にバンド通しを有し、支柱をしっかりとＣ形挟着片で挟み込み、支持バンドを茎、蔓などを包むように回して支持バンド通し穴に通して誘引する結束支持具が開示されている。
【０００４】
また、特開２００６‐３６３５３号公報では、巻き付け可能な長方形軟質体の一端にフック部を形成し、この軟質体の一方の面に面ファスナーの接着体（フック体群）、他の面に面ファスナーの被接着体（ループ体群）を配することにより、この軟質体を巻いた際に接着体と被接着体が接触することで面ファスナー機能を発揮してフック部の掛け止め機能と軟質体の面ファスナー機能の相乗効果が得られる止め具が開示されている。
【０００５】
更に、実用新案登録第３１０５２１９号公報では、大小の異なった径からなるひょうたん型で、一方の端にカギヅメ型の止め具をつけ、このカギヅメ止め具を外してひょうたん型を開き、一方に枝や茎一方に支柱を入れ止めして結束するクリップが開示されている。
【先行技術文献】
【特許文献】
【０００６】
【特許文献１】特開２００５‐３４１９２０号公報
【特許文献２】特開２００６‐３６３５３号公報
【特許文献２】実用新案登録第３１０５２１９号公報
【発明の概要】
【発明が解決しようとする課題】
【０００７】
上記の特開２００５‐３４１９２０号公報では、支持バンドを茎、蔓などを包むように回して支持バンド通し穴に通す手数の要する作業になること、特開２００６‐３６３５３号公報や実用新案登録第３１０５２１９号公報では、結束した支柱と茎等の関係が固定的で茎等の生育や自然環境の変化に対応できない等の問題がある。
【０００８】
そこで、本発明は、結束作業がより簡便と成ると共に、支柱と茎等或いは植物同士の結束に弾力性があり茎等の生育や自然環境の変化に対応できる植物用の結束具を提供せんとするものである。
【課題を解決するための手段】
【０００９】
本発明の請求項１の植物用の結束具は、熱可塑性樹脂のモノフィラメントが捲回したコイル状線体であって、このコイル状線体が構成するループは互いに間隙を有して並列すると共に、各ループに並列方向両側へ膨出した係止突部が形成されていることを特徴とするものである。
【００１０】
請求項２の植物用の結束具の発明は、請求項１において、係止突部が各ループの並列方向の一直線上に形成されていることを特徴とするものである。
【００１１】
請求項３の植物用の結束具の発明は、請求項１又は２において、ループ内の対向する部位に、並列方向両側へ膨出した係止突部が形成されていることを特徴とするものである。
【００１２】
請求項４の植物用の結束具の発明は、請求項１乃至３のいずれかにおいて、ループが楕円形状又は多角形形状であることを特徴とするものである。
【００１３】
請求項５の植物用の結束具の発明は、請求項１乃至４のいずれかにおいて、生分解性樹脂のモノフィラメントであることを特徴とするものである。
【発明の効果】
【００１４】
本発明の請求項１の植物用の結束具は、熱可塑性樹脂のモノフィラメントを捲回してコイル状線体を成形したため、紐状となり紐と同様に簡便な結着作業を行なえる効果があり、植物の茎蔓等に柔らく当たって接触し、コイル状であるため伸縮も可能で茎等の生育や自然環境の変化に対応できる効果も有する。
【００１５】
また、コイル状線体を構成するループは互いに間隙を設けて並列するため、両端部を結んだり、捻り合わせれば互いに間隙にループが入り込んで、各ループの並列方向両側へ膨出する係止突部に引っ掛かり離脱を阻止することとなり、確実に結着出来る効果を発揮する。
【００１６】
請求項２の発明は、請求項1の効果に加え、係止突起を各ループの並列方向の一直線上に形成したため、係止突起の位置が判然として係止が容易と成る効果を有し、請求項３の発明はループの対向する部位にも並列方向両側へ膨出する係止突部を形成したため、係止状態となる結着の確率がより高く容易と成る効果を発揮する。
【００１７】
請求項４の発明は、請求項１乃至３の効果に加え、ループが楕円形状又は多角形形状であることを特徴とするものであるから、使用対象や用途に応じたループ形状の結束具を選択的に使用できる効果を発揮する。
【００１８】
また、請求項４の発明は、請求項１乃至４の効果に加え、生分解性樹脂のモノフィラメントであることを特徴とするものであるから、使用後の廃棄等に環境への付加を和らげる効果を有するものである。
【図面の簡単な説明】
【００１９】
【図１】本発明の一実施形態の植物用の結束具を示す側面図である。
【図２】植物用の結束具を用いて植物の茎と支柱を結束させた状態を示す斜視図である。
【発明を実施するための形態】
【００２０】
本発明を実施するための形態を図面に基づいて説明する。
熱可塑性樹脂のモノフィラメントをコイル状に捲回して成形し、このコイル状線体１を構成するループ２は互いに間隙３を設けて並列すると共に、各ループ２に並列方向両側へ膨出する係止突部４を形成して成るものである。
係止突部４は各ループ２の任意位置に形成することも、係止突起を各ループ２の並列方向の一直線上に形成することも自由であり、更にはループ２の対向する部位にも並列方向へ形成することもでき、ループ２に形成する係止突部４の数が多くなればそれだけ結着が容易且つ強固となるものである。
【００２１】
熱可塑性樹脂としては、ポリエステル、ナイロン、ポリプロピレン、ポリアミド等が適し、それ等のモノフィラメントからコイル状に成形する。
モノフィラメントとしては例えば２０号で直径約３ミリメートルのループを形成しながらコイル状に捲回してコイル状線体１とすることができる。
【００２２】
熱可塑性樹脂を生分解性とすることで、使用後の処分が環境に優しくなるものであり、また、ループ２の形状は円形に限らず楕円形や三角、四角等の多角形形状とすることも自由であり、多角形形状の場合は角部には丸みが生じることは当然である。
【００２３】
係止突部４は各ループ２の任意位置に形成することも、係止突起を各ループ２の並列方向の一直線上に形成することも自由であり、更にはループ２の対向する部位にも並列方向へ形成することもでき、ループ２に形成する係止突部４の数が多くなればそれだけ結着が容易且つ強固となるものである。
【００２４】
係止突部４の形成は、熱可塑性樹脂のモノフィラメントを加熱してコイル成形した後、同モノフィラメントの係止突部成形部分に該当する部位を押圧して、モノフィラメントの横断方向に膨出する係止突部４とすることができ、或いは、予め熱可塑性樹脂のモノフィラメントの所定間隔毎に、或いは不定間隔で上記形態の係止突部４を加熱成型し、後に同モノフィラメントをコイル成形する事によっても得られる。
【００２５】
使用に際しては、図２に示すように植物の茎５と支えるための支持材である支柱６とをこのコイル状線体１で巻き、余ったコイル状線体１の端部を紐の様に結ぶ又は捻ることで、互いのループ２（形成するフィラメント線）と間隙３が絡み合って引っ掛かり、或いは係止突部４に引っ掛かって離脱できなくなって結着するものである。
【００２６】
図２では、植物の茎５と支えるための支持材である支柱６を結束させた場合について説明したがこれに限定されることなく、植物の枝或いは蔓と支えるための支持材である支柱と、又は植物同士を互いに支承するため該当部位同士を結束させてもよい。
【符号の説明】
【００２７】
１  コイル状線体
２  ループ
３  間隙
４  係止突部
【図１】
0005952570.tif 000002
【図２】
0005952570.tif 000003